(57)【特許請求の範囲】
【請求項１】
放射方向に複数の動翼ブレードを設けた動翼部と、この動翼部を回転させる回転駆動部と、放射方向に複数の静翼ブレードを設け、かつ前記動翼部による送風方向前方に固定して配設した静翼部と、この静翼部の送風方向前方に配し、かつ前記動翼部からの送風を放射方向に整流する放出部とを備え、この放出部に臨ませた複数の噴霧ノズルから吐出する薬液を放射方向に噴霧するスピードスプレーヤの送風機構であって、前記静翼部に備える静翼ブレードにおける一部の静翼ブレードとして前記噴霧ノズルが存在しない下側領域に位置する静翼ブレードを選定し、この選定した一部の静翼ブレードを、放射方向軸に対する周方向の角度が、前記動翼部による送風方向に対して順応する方向、かつスピードスプレーヤの前後方向に対して、４０±２０゜の範囲になるように、予め設定して固定し，又は回動取付手段により回動可能に取付けるとともに静翼ブレード固定手段により複数の異なる角度から選択して固定してなることを特徴とするスピードスプレーヤの送風機構。
【発明の詳細な説明】
【技術分野】
【０００１】
本発明は、放射方向に複数の静翼ブレードを設けた静翼部を備えるスピードスプレーヤの送風機構に関する。
【背景技術】
【０００２】
一般に、圃場の果樹等に薬液を噴霧する際に用いるスピードスプレーヤは知られている。この種のスピードスプレーヤは、通常、放射方向に複数の動翼ブレードを設けた動翼部と、この動翼部を回転させる回転駆動部と、放射方向に複数の静翼ブレードを設け、かつ動翼部による送風方向前方に固定して配設した静翼部と、この静翼部の送風方向前方に配し、かつ動翼部からの送風を放射方向に整流する放出部とを備え、この放出部に臨ませた複数の噴霧ノズルから吐出する薬液を放射方向に噴霧する送風機構を備えている。
【０００３】
従来、このような送風機構としては、特許文献１に開示されるスピードスプレーヤの送風機、或いは特許文献２で開示されるスピードスプレヤーに搭載される送風機構が知られている。特許文献１には、送風ファン、風胴内筒、風胴カバー、吐出ベルマウス、及び固定案内翼、とを備えたスピードスプレーヤの送風機において、風胴カバーと吐出ベルマウスとを接合固定して風胴用中空外部胴体を構成するとともに、吐出ベルマウスの内筒状内周部内に放射状に配設された固定案内翼を介して風胴内筒が固定されるようにしたスピードスプレーヤの送風機が開示され、また、特許文献２には、車輛の後部から回転羽根によってエアを吸入し、放射方向に複数個の静翼を設けた整流筒により車輛本体の側方に向けてエアを噴出させるとともに、整流筒の開口部に薬液を供給するノズルを設置して、エア流によりノズルから薬液を噴霧させるスピードスプレーヤにおいて、静翼の吸入側端縁に凹凸の切欠を設けた送風機構が開示されている。
【先行技術文献】
【特許文献】
【０００４】
【特許文献１】特開平８−２５７４５６号
【特許文献２】特開２０００−２１０００１号
【発明の概要】
【発明が解決しようとする課題】
【０００５】
しかし、上述した従来におけるスピードスプレーヤの送風機構は、次のような問題点があった。
【０００６】
第一に、薬液を噴霧する範囲は、車輛の両側方及び上方を含む扇形の範囲となるため、通常、送風機構の下側は遮蔽構造に構成して下方への無用な放出を防止している。一方、送風機構における動翼部の回転による送風は軸流となり、かつ旋回（渦巻）成分が含まれるため、静翼部を設けることにより整流を行っている。この場合、静翼部の軸方向長さを長くすれば、十分な整流を行うことができるが、現実には長さが制限されるため、整流効果は限定的となる。この結果、旋回成分が少なからず残留し、この残留成分（未整流成分）が送風機構の下側の遮蔽構造に影響を受けることにより、図６に示すように、下側の送風（噴霧方向Ｆｗｏ）の左側が相対的に弱くなり、かつ右側が相対的に強くなる傾向を示すなど、送風の不安定化，送風効率（送風量）の低下，車輛付近における無用な飛散等を招く難点があった。
【０００７】
第二に、この種のスピードスプレーヤは、高さの異なる様々な樹木，形の異なる様々な圃場，樹木との様々な距離等、に対応して薬液散布する必要があるため、薬液の噴霧においても、噴霧に係わる強弱や方向などのパターンを容易かつ柔軟に設定できることが望ましい。しかし、従来の送風機構、特に、静翼部については、必ずしもこの点についての考慮はされておらず、主に、噴射ノズルから薬液を吐出させる薬液供給系の調整（制御）に頼っていた。具体的には、複数のノズル群を複数のブロック単位に分け、それぞれのブロックを選択的に使用したり、或いは薬液を送出する送液ポンプ（バルブ）の吐出圧（吐出流量）を可変制御するなどの制御に頼っていたため、コストアップを招くとともに、多様性を高め、かつ緻密な制御（設定）を実現するにも限界があった。
【０００８】
本発明は、このような背景技術に存在する課題を解決したスピードスプレーヤの送風機構の提供を目的とするものである。
【課題を解決するための手段】
【０００９】
本発明は、上述した課題を解決するため、放射方向に複数の動翼ブレード２ｐ…を設けた動翼部２と、この動翼部２を回転させる回転駆動部３と、放射方向に複数の静翼ブレード４ｐ…を設け、かつ動翼部２による送風方向Ｆｗ前方に固定して配設した静翼部４と、この静翼部４の送風方向Ｆｗ前方に配し、かつ動翼部２からの送風を放射方向に整流する放出部５とを備え、この放出部５に臨ませた複数の噴霧ノズル６…から吐出する薬液を放射方向に噴霧するスピードスプレーヤＭの送風機構１を構成するに際して、静翼部４に備える静翼ブレード４ｐ…における一部の静翼ブレード４ｐｃ…として噴霧ノズル６…が存在しない下側領域Ａｄに位置する静翼ブレード４ｐ…を選定し、この選定した一部の静翼ブレード４ｐｃ…を、放射方向軸Ｓｃに対する周方向Ｆｆの角度Ｑｉが、動翼部２による送風方向Ｆｗに対して順応する方向、かつスピードスプレーヤ１の前後方向Ｆｓに対して、４０±２０゜の範囲に設定したことを特徴とする。
【００１０】
また、この際、選定した一部の静翼ブレード４ｐｃ…は、予め設定して固定し，又は回動取付手段１１…により回動可能に取付けるとともに静翼ブレード固定手段１２…により複数の異なる角度Ｑｉａ，Ｑｉｂ…から選択して固定する。
【発明の効果】
【００１１】
このような構成を有する本発明に係るスピードスプレーヤＭの送風機構１によれば、次のような顕著な効果を奏する。
【００１２】
（１）  選定した一部の静翼ブレード４ｐｃ…における放射方向軸Ｓｃに対する周方向Ｆｆの角度Ｑｉを、スピードスプレーヤＭの前後方向Ｆｓに対して、４０±２０゜の範囲に設定したため、送風の安定化，送風効率（送風量）の向上，車輛付近における無用な飛散防止等を図れるとともに、送風機構１の送風に対する整流を容易に最適化できる。
【００１３】
（２）  選定した一部の静翼ブレード４ｐｃ…は、噴霧ノズル６…が存在しない下側領域Ａｄに位置するため、最も大きな課題となる送風機構１における下側の送風における送風の不安定化，送風効率（送風量）の低下，車輛付近における無用な飛散等の課題を有効に解消できる。
【００１４】
（３）  選定した一部の静翼ブレード４ｐｃ…における４０±２０゜の角度を、動翼部２による送風方向Ｆｗに対して順応する方向に設定したため、送風方向Ｆｗに対する整流作用のマッチングにより、送風機構１における下側の送風の有効かつ的確な整流効果を得ることができる。
【００１５】
（４）  好適な態様により、複数の静翼ブレード４ｐ…における一部又は全部の静翼ブレード４ｐｃ…の角度Ｑｉを予め設定し、固定して配設するようにすれば、メーカーサイドにおいて最も望ましい態様に設定できるため、ユーザーサイドによる設定を不要にすることができる。
【００１６】
（５）  好適な態様により、複数の静翼ブレード４ｐ…における一部又は全部の静翼ブレード４ｐｃ…を回動可能に取付ける回動取付手段１１…と、この回動取付手段１１…により回動させた静翼ブレード４ｐｃ…を、少なくとも異なる複数の角度Ｑｉａ，Ｑｉｂ…を選択して固定可能な静翼ブレード固定手段１２…とを備えて構成すれば、任意に選択した一部又は全部の静翼ブレード４ｐｃ…に対して任意の角度Ｑｉａ…を設定できるため、噴霧に係わる強弱や方向などの各種パターンを容易かつ柔軟に設定でき、薬液噴霧に係わる多様性の向上、更には緻密な制御（設定）を実現できるとともに、低コストに実施できる。
【図面の簡単な説明】
【００１７】
【図１】本発明の好適実施形態に係る送風機構の要部を示す背面図、
【図２】図１中のＸ−Ｘ線における一部断面を含む同送風機構の平面図、
【図３】同送風機構における静翼部の展開図
【図４】同送風機構の静翼部に用いる静翼ブレードの斜視図、
【図５】同送風機構の送風方向を矢印で明示した背面図、
【図６】背景技術に係わる送風機構の送風方向を矢印で明示した背面図、
【図７】本発明の好適実施形態に係る送風機構を備えるスピードスプレーヤの外観側面図、
【図８】本発明の変更実施形態に係る送風機構における静翼部の構成図、
【図９】参考例に係る送風機構の背面図、
【図１０】他の参考例に係る送風機構の背面図、
【発明を実施するための形態】
【００１８】
次に、本発明に係る好適実施形態を挙げ、図面に基づき詳細に説明する。
【００１９】
まず、本実施形態に係る送風機構１の理解を容易にするため、スピードスプレーヤＭの全体の概略構成について、図７を参照して説明する。
【００２０】
スピードスプレーヤＭにおいて、５０はシャーシであり、このシャーシ５０の前側に、左右一対の前輪５１…を備えるとともに、後側に、左右一対の後輪５２…を備え、搭載するエンジンにより自走する。また、シャーシ５０上のボディ５３には、前部に運転席５４を備えるとともに、運転席５４の前方におけるフロントパネル５５には、ヘッドライト等の灯火器やバックミラー等の必要な車両設備を備える。さらに、運転席５４の後方には、薬液タンク５６及びエンジンルームや後述する回転駆動部３等を収容した機械室を搭載するとともに、この後方に本実施形態に係る送風機構１を備える薬液噴霧部５７を搭載する。したがって、この薬液噴霧部５７には、送風機構１とこの送風機構１に噴霧する薬液を供給する複数の噴霧ノズル６…を備える薬液供給機構５８が含まれる。
【００２１】
次に、本実施形態に係る送風機構１の具体的な構成について、図１〜図４を参照して説明する。
【００２２】
送風機構１は、ボディ５３の一部を構成する風胴部２１を備え、この風胴部２１の後端付近の内部には、放射方向に複数の動翼ブレード２ｐ…を設けた動翼部２を配する。また、ボディ５３側には、図２に仮想線で示す回転駆動部３を備え、この回転駆動部３から後方に突出する回転シャフト３ｓの先端に動翼部２の中心を取付ける。これにより、動翼部２は回転駆動部３により回転する。なお、回転駆動部３はエンジン等の回転駆動源により回転させることができる。
【００２３】
一方、動翼部２による送風方向Ｆｗ前方には、図１及び図２に示す静翼部４を固定して配設する。静翼部４は中心位置に円筒基部４ｂを有し、この円筒基部４ｂの外周面に複数の静翼ブレード４ｐ…の一端を固定して放射方向に突出させる。一枚の静翼ブレード４ｐを図４に示す。静翼ブレード４ｐは前後方向長さが短くなる矩形に形成し、短辺４ｐｓを緩やかに湾曲させて形成する。例示の静翼部４は十三枚の静翼ブレード４ｐ…を備え、円筒基部４ｂの周方向にほぼ等間隔で配設する。
【００２４】
図３は、円筒基部４ｂを直線方向に展開した場合における各静翼ブレード４ｐ…の固定角度を示している。この場合、各静翼ブレード４ｐ…は、基本的に、静翼ブレード４ｐ…における放射方向軸Ｓｃ（図４参照）に対する周方向Ｆｆの角度Ｑｒを、スピードスプレーヤＭの前後方向Ｆｓに対して、概ね１０゜に設定するとともに、少なくとも一部の静翼ブレード４ｐｃ…における放射方向軸Ｓｃに対する周方向Ｆｆの角度Ｑｉを、スピードスプレーヤＭの前後方向Ｆｓに対して、４０±２０゜の範囲に設定する。この角度は、図２に示すように、前後方向Ｆｓに対して、動翼部２による送風方向Ｆｗに対して順応する方向に設定する。このように、４０±２０゜の角度を、前後方向Ｆｓに対して、動翼部２による送風方向Ｆｗに対して順応する方向に設定すれば、送風方向Ｆｗに対する整流作用のマッチングにより、送風機構１における下側の送風の有効かつ的確な整流効果を得ることができる。
【００２５】
例示の場合、図６に示した問題点、即ち、下側の送風において、左側が相対的に弱くなり、かつ右側が相対的に強くなる傾向を解消するために、噴霧ノズル６…が存在しない下側領域Ａｄに位置する静翼ブレード４ｐ…、具体的には、図１に示すように、下側に位置する三枚の静翼ブレード４ｐｃ…における放射方向軸Ｓｃに対する周方向Ｆｆの角度Ｑｉを、スピードスプレーヤＭの前後方向Ｆｓに対して、概ね４０゜に設定した。この角度も上述したように、前後方向Ｆｓに対して、動翼部２による送風方向Ｆｗに対して順応する方向に設定する（図２参照）。なお、図２は、図１中のＸ−Ｘ線断面を平面方向から見た静翼ブレード４ｐｃ…，４ｐの断面を示している。
【００２６】
他方、この静翼部４の送風方向Ｆｗ前方には、動翼部２からの送風を放射方向に整流する放出部５を配設する。放出部５は、軸流方向、即ち、動翼部２から車輛（ボディ５３）の前方向への送風をほぼ直角方向にガイドし、放射方向に放射する湾曲整流面５ｓを備えている。そして、この放出部５における送風空間Ｓには、図７に示すように、薬液供給機構５８における複数の噴霧ノズル６…を臨ませる。各噴霧ノズル６…は、図に現れない薬液配管，バルブ及び送液ポンプを介して前述した薬液タンク５６に接続される。
【００２７】
次に、本実施形態に係る送風機構１の機能及び作用（動作）について、図１〜図５を参照して説明する。
【００２８】
今、スピードスプレーヤＭは薬液噴霧モードにより運転されているものとする。この場合、回転駆動部３の回転により動翼部２が回転する。このときの動翼部２の回転方向は、図１及び図２中、矢印Ｆｄ方向となる。この動翼部２の回転により、外気が風胴部２１の後端口から吸入され、前方向に送風が行われる。この送風は、静翼部４により予備整流され、放出部５に至る。この場合、静翼部４には、異なる角度に設定された二種類の静翼ブレード、即ち、概ね４０゜に設定した下側領域Ａｄに位置する三枚の静翼ブレード４ｐｃ…と概ね１０゜に設定した残りの十枚の静翼ブレード４ｐ…を備えるため、送風がそれぞれの静翼ブレード４ｐｃ…，４ｐ…を通過する際には、各静翼ブレード４ｐｃ…，４ｐ…の角度に従って送風が予備整流される。
【００２９】
この際、下側領域Ａｄに位置する三枚の静翼ブレード４ｐｃ…を通過する送風は、図２に示すように、より左方向にガイドされるため、図５に示すように、従来例である図６に示した場合に比べて、噴霧方向Ｆｗｏは、左側が相対的に強められるとともに、右側が相対的に弱められ、下側の送風に対する最適化、更には全体の噴霧方向Ｆｗｏに対する最適化が図られる。このように、本実施形態に係る送風機構１によれば、基本的には、複数の静翼ブレード４ｐ…における少なくとも一部の静翼ブレード４ｐｃ…における放射方向軸Ｓｃに対する周方向Ｆｆの角度Ｑｉを、スピードスプレーヤＭの前後方向Ｆｓに対して、４０±２０゜の範囲に設定したため、送風の安定化，送風効率（送風量）の向上，車輛付近における無用な飛散防止等を図れるとともに、送風機構１の送風に対する整流を容易に最適化できる。
【００３０】
特に、例示のように、少なくとも一部の静翼ブレード４ｐｃ…として、噴霧ノズル６…が存在しない下側領域Ａｄに位置する静翼ブレード４ｐ…を選定すれば、最も大きな課題となる送風機構１における下側の送風における送風の不安定化，送風効率（送風量）の低下，車輛付近における無用な飛散等の課題を有効に解消できる。また、例示の場合、複数の静翼ブレード４ｐ…における一部の静翼ブレード４ｐｃ…の角度Ｑｉを予め設定し、固定して配設したため、メーカーサイドにおいて最も望ましい態様に設定でき、ユーザーサイドによる設定を不要にできるメリットがある。
【００３１】
次に、本発明の変更実施形態に係る送風機構１について、図８を参照して説明するとともに、図９及び図１０には参考例を示す。
【００３２】
図８に示す変更実施形態は、静翼ブレード４ｐｃ…を回動可能に取付ける回動取付手段１１…と、この回動取付手段１１…により回動させた静翼ブレード４ｐｃ…を、少なくとも異なる複数の角度Ｑｉａ，Ｑｉｂ…を選択して固定可能な静翼ブレード固定手段１２…とを備えて構成したものである。
【００３３】
例示の場合、回動取付手段１１は、静翼ブレード４ｐｃの一端側（一方の長辺）を回動軸７１により回動可能となるように円筒基部４ｂに取付けて構成する。また、静翼ブレード固定手段１２は、静翼ブレード４ｐｃの他端側（他方の長辺）に軸受部７２によりストッパピン部７３を長辺方向に変位自在に支持するとともに、スプリング７４によりストッパピン部７３を円筒基部４ｂ側に付勢する。ストッパピン部７３の中間位置には、操作部を兼ねるストッパプレート７５を設け、軸受部７２の端部により規制可能に構成する。他方、円筒基部４ｂには、ストッパピン部７３が挿入係止する複数の係合孔７６ａ，７６ｂ，７６ｃ，７６ｄ，７６ｅ，７６ｆ…を、ストッパピン部７３の移動軌跡上に所定間隔置きに形成する。
【００３４】
これにより、ストッパプレート７５を手で持ってスプリング７４側に変位させ、ストッパピン部７３を係合孔７６ａ…から離脱させるとともに、回動軸７１を支点に静翼ブレード４ｐｃを回動変位させ、任意の係合孔７６ａ…にストッパピン部７３を挿入すれば、静翼ブレード４ｐｃ…の角度Ｑｉａ（Ｑｉ）…を任意に設定できる。
【００３５】
一方、図９及び図１０には参考例を示す。各参考例は、全ての静翼ブレード４ｐ…、即ち、十三枚の静翼ブレード４ｐ…の全部に、図８に示した変更実施形態を適用し、全ての静翼ブレード４ｐｃｓ…，４ｐｃｔ…の角度Ｑｉａ（Ｑｉ）…を任意に設定できるようにしたものである。図９は、例えば、選択した六枚の静翼ブレード４ｐｃｓ…を、ほぼ遮蔽位置、即ち、角度Ｑｉａ（Ｑｉ）をほぼ９０゜に設定し、高い樹木の上方に集中的に噴霧できるように、噴霧方向Ｆｗｏを特定の方向に指向性を持たせた場合の一例を示す。また、図１０は、例えば、選択した十枚の静翼ブレード４ｐｃｔ…を、交互に反対方向に設定、即ち、任意の静翼ブレード４ｐｃｔを送風方向Ｆｗに対して順応する方向に６０゜程度に設定し、かつ隣の静翼ブレード４ｐｃｔを送風方向Ｆｗに対して順応する方向の反対方向に−６０゜程度に設定することにより、低い位置の樹木に比較的弱く噴霧できるようにした場合の一例を示す。
【００３６】
このように、図８に示す変更実施形態は、静翼ブレード４ｐｃ…を回動可能に取付ける回動取付手段１１…と、この回動取付手段１１…により回動させた静翼ブレード４ｐｃ…を、少なくとも異なる複数の角度Ｑｉａ，Ｑｉｂ…を選択して固定可能な静翼ブレード固定手段１２…とを備えて構成したため、任意に選択した一部又は全部の静翼ブレード４ｐｃ…に対して任意の角度Ｑｉａ…を設定できる。したがって、噴霧に係わる強弱や方向などの各種パターンを容易かつ柔軟に設定でき、薬液噴霧に係わる多様性の向上、更には緻密な制御（設定）を実現できるとともに、低コストに実施できる。なお、図８〜図１０において、図１〜図５と同一部分には同一符号を付してその構成を明確にするとともに、その詳細な説明は省略する。
【００３７】
以上、好適実施形態（変更実施形態）について詳細に説明したが、本発明は、このような実施形態に限定されるものではなく、細部の構成，形状，素材，数量，手法等において、本発明の要旨を逸脱しない範囲で、任意に変更，追加，削除することができる。例えば、複数の静翼ブレード４ｐ…における一部又は全部の静翼ブレード４ｐｃ…を回動可能に取付ける回動取付手段１１…として、例示は、静翼ブレード４ｐｃの一端に設けた場合を示したが、中間位置に設けてもよい。また、静翼ブレード４ｐｃ…を、少なくとも異なる複数の角度Ｑｉａ，Ｑｉｂ…を選択して固定可能な静翼ブレード固定手段１２…として、例示は、複数の係合孔７６ａ…を選択してストッパピン部７３を挿入する形式を示したが、連続して回動変位する際の任意の位置で固定できるように構成してもよい。
【産業上の利用可能性】
【００３８】
本発明に係る送風機構は、薬液を噴霧する各種スピードスプレーヤに利用できる。この場合、スピードスプレーヤには、薬液を散布する各種形態の車両が含まれ、例えば、薬液散布装置を荷台に搭載した四輪トラックやトラクタ等も含まれる。
【符号の説明】
【００３９】
１：送風機構，２：動翼部，２ｐ…：動翼ブレード，３：回転駆動部，４：静翼部，４ｐ…：静翼ブレード，４ｐｃ…：静翼ブレード，５：放出部，６…：噴霧ノズル，１１…：回動取付手段，１２…：静翼ブレード固定手段，Ｍ：スピードスプレーヤ，Ａｄ：下側領域，Ｆｗ：送風方向，Ｆｆ：周方向，Ｆｓ：前後方向，Ｓｃ：放射方向軸，Ｑｉ：角度，Ｑｉａ：角度，Ｑｉｂ：角度
【図１】
0005909735.tif 000002
【図２】
0005909735.tif 000003
【図３】
0005909735.tif 000004
【図４】
0005909735.tif 000005
【図５】
0005909735.tif 000006
【図６】
0005909735.tif 000007
【図７】
0005909735.tif 000008
【図８】
0005909735.tif 000009
【図９】
0005909735.tif 000010
【図１０】
0005909735.tif 000011